(57)【要約】【課題】  通常の蓋付き鏡の蓋は鏡面を全面的に覆っているから、鏡を使用するためには蓋を開いて鏡面を全面的に覗かなくてはならない。しかしながら、顔のごく一部、例えば目元を見ようとするときには鏡面の全面を必要とせず、鏡面の一部の狭い範囲が覗ければそれで足りる場合も多い。駅のホームや路上などで鏡を出して目元を見ようとするときに、わざわざ蓋を開いて鏡面の全面を覗くのは面倒であるし、他人の視線も気になるところである。そこで、本発明は、目元などの顔の狭い範囲を見ようとするときにわざわざ蓋を開かなくても覗くことのできる鏡を提供することを目的とする。【解決手段】  鏡面部と、その鏡面を覆うための覆い部を有し、その覆い部で鏡面を覆ったときに鏡面の一部を覗くことができる手段を有する。【選択図】  図１
2005296160.tif 000002
【特許請求の範囲】
【請求項１】
鏡面部と、その鏡面を覆うための覆い部を有し、その覆い部で鏡面を覆ったときに鏡面の一部を覗くことができる手段を有することを特徴とする鏡
【請求項２】
鏡面の一部を覗くことができる手段は、覆い部に設けた少なくとも一つの窓部である請求項１記載の鏡
【請求項３】
窓部は所定の形状に形成され、その所定の形状は、形状を立てて見たときに上下対称でなく、社会通念上その形状の上下が特定されている請求項２記載の鏡
【請求項４】
所定の形状は、ハート形、動物の猫の顔の形状又は５つの三角突起が等角に５方向に広がっている星形である請求項３記載の鏡
【請求項５】
所定の形状に形成された窓部に内接しうる最大円の直径が２２ｍｍ以上である請求項３又は請求項４記載の鏡
【請求項６】
所定の形状に形成された窓部に内接しうる最大円の面積は、鏡面部の面積の３０％以下である請求項５記載の鏡
【請求項７】
覆い部は、鏡面部に開閉可能に取り付けられた蓋である請求項１乃至請求項６記載の鏡
【請求項８】
蓋は、鏡面部に蝶番結合又はヒンジ結合によって取り付けられ開閉可能である請求項７記載の鏡
【請求項９】
鏡に掛紐が取り付けられ、掛紐にはアクセサリー又は鏡拭き等の附属品が掛けられており、鏡面を覆い部で覆った鏡を手に持って窓部を顔に向けたときに、窓部の側方に下がっている掛紐及び附属品が窓部に重ならないように掛紐及び附属品が取り付けられている請求項２乃至請求項８記載の鏡
【請求項１０】
掛紐には鏡拭きが掛けられており、この鏡拭きの形状は窓部と同形又は窓部よりも小さい相似形に形成されている請求項９記載の鏡
【発明の詳細な説明】
【技術分野】
【０００１】
本発明は、主に女性が化粧用として使用する鏡に関する。
【背景技術】
【０００２】
従来から蓋が開閉する手鏡は一般的に使用されており、鏡面の裏面側のポケットを定期券などのカードの収納部として用い、そのカードの取り出しは、正面中央の開口に指を入れて押し出す構造の手鏡も存在している（例えば、特許文献１参照。）。
【特許文献１】意匠登録第１０９４６８４号公報
【発明の開示】
【発明が解決しようとする課題】
【０００３】
前記特許文献の手鏡はその表面に開口を設けたものであるが、その開口はその中に指を入れてポケットに収納されている定期券などを押し出すためのものである。蓋は鏡面を全面的に覆っているから、鏡を使用するためには蓋を開いて鏡面を全面的に覗かなくてはならない。しかしながら、顔のごく一部、例えば目元を見ようとするときには鏡面の全面を必要とせず、鏡面の一部の狭い範囲が覗ければそれで足りる場合も多い。駅のホームや路上などで鏡を出して目元を見ようとするときに、わざわざ蓋を開いて鏡面の全面を覗くのは面倒であるし、他人の視線も気になるところである。そこで、本発明は、目元などの顔の狭い範囲を見ようとするときにわざわざ蓋を開かなくても覗くことのできる鏡を提供することを目的とする。
【課題を解決するための手段】
【０００４】
本発明の構成の請求項１は、鏡面部と、その鏡面を覆うための覆い部を有し、その覆い部で鏡面を覆ったときに鏡面の一部を覗くことができる手段を有する構成である。請求項２は、鏡面の一部を覗くことができる手段が、覆い部に設けた少なくとも一つの窓部である要素が請求項１に限定的に付加された構成である。
【０００５】
請求項３は、窓部が所定の形状に形成され、その所定の形状は、形状を立てて見たときに上下対称でなく、社会通念上その形状の上下が特定されている要素が請求項２に限定的に付加された構成である。請求項４は、その所定の形状が、ハート形、動物の猫の顔の形状又は５つの三角突起が等角に５方向に広がっている星形である要素が請求項３に限定的に付加された構成である。
【０００６】
請求項５は、所定の形状に形成された窓部に内接しうる最大円の直径が２２ｍｍ以上である要素が請求項３又は請求項４に限定的に付加された構成であり、請求項６は、所定の形状に形成された窓部に内接しうる最大円の面積が、鏡面部の面積の３０％以下である要素が請求項５に限定的に付加された構成である。
【０００７】
請求項７は、覆い部が鏡面部に開閉可能に取り付けられた蓋である要素が請求項１乃至請求項６に限定的に付加された構成であり、請求項８は、蓋が鏡面部に蝶番結合又はヒンジ結合によって取り付けられ開閉可能である要素が請求項７に限定的に付加された構成である。
【０００８】
請求項９は、鏡に掛紐が取り付けられ、掛紐にはアクセサリー又は鏡拭き等の附属品が掛けられており、鏡面を覆い部で覆った鏡を手に持って窓部を顔に向けたときに、窓部の側方に下がっている掛紐及び附属品が窓部に重ならないように掛紐及び附属品が取り付けられている要素が請求項２乃至請求項８に限定的に付加された構成である。請求項１０は、掛紐には鏡拭きが掛けられており、この鏡拭きの形状は窓部と同形又は窓部よりも小さい相似形に形成されている要素が請求項９に限定的に付加された構成である。
【発明の効果】
【０００９】
本発明の請求項１は、鏡面部と、その鏡面を覆うための覆い部を有し、その覆い部で鏡面を覆ったときに鏡面の一部を覗くことができる手段を有する。したがって、駅のホームや路上で目元などの顔の狭い範囲を鏡で見ようとするときは、蓋付きの鏡であっても全面的に蓋を開く必要がないので素早く見ることができる。また、鏡を当初のコンパクトなままの状態で使用できて、目立つことがなく他人の視線を気にせずに済む。請求項２は、鏡面の一部を覗くことができる手段が、覆い部に設けた少なくとも一つの窓部である。窓部の最も簡単な構成は覆い部に貫通孔を設けるだけでよいから製造が容易であってコストが嵩むことがない。
【００１０】
請求項３は、窓部が所定の形状に形成され、その所定の形状は、形状を立てて見たときに上下対称でなく、社会通念上その形状の上下が特定されている。すなわち、窓部が一定の方向性を示す作用をなしている。例えば覆い部が蓋であって蝶番結合によって鏡面部に開閉可能に取り付け、上下が特定されている形状である窓部の上部が蝶番結合の方向を向くように窓部を形成した場合に、使用者は蓋のどの縁部に指を掛けて蓋を開けばよいのかを即座に理解することができる。この場合は、窓部の下方にある蓋の縁部に指を掛けて開けばよいことが即座に理解できる。したがって、蓋を開くときに蓋のどの縁部に指先をかけたらよいのか迷うことがない。請求項４は、前述した所定の形状が、ハート形、動物の猫の顔の形状又は５つの三角突起が等角に５方向に広がっている星形である。これらの形状は広く親しまれた形状あるいはかわいらしい形状であって商品価値を高めることができる。
【００１１】
請求項５は、所定の形状に形成された窓部に内接しうる最大円の直径が２２ｍｍ以上である。例えば、顔全体を写すために必要な鏡面のサイズは顔の縦と横の長さのそれぞれ半分のサイズとすればよい。したがって、窓部に内接しうる最大円の直径が２２ｍｍあれば目元を十分に写すことができるから、通常の使用に不都合が生じることがない。請求項６は、所定の形状に形成された窓に内接しうる最大円の面積が鏡面部の面積の３０％以下である。したがって、蓋を閉じた状態で蓋に指先を宛がう余地が十分にあるから、蓋の表面と鏡面部の裏面を指先で挟むようにして手に持って鏡を使用することができる。
【００１２】
請求項７は、覆い部が鏡面部に開閉可能に取り付けられた蓋である。したがって、蓋の開閉によって鏡面の全面を使用することができるので取り扱いが便利である。請求項８は、蓋が鏡面部に蝶番結合又はヒンジ結合によって取り付けられ開閉可能であるから、蓋の開閉を円滑に行うことができる。
【００１３】
請求項９は、鏡に掛紐が取り付けられ、掛紐にはアクセサリー又は鏡拭き等の附属品が掛けられており、鏡面を覆い部で覆った鏡を手に持って窓部を顔に向けたときに、窓部の側方に下がっている掛紐及び附属品が窓部に重ならないように掛紐及び附属品が取り付けられている。したがって、掛紐を使用してアクセサリーなどを鏡に下げて使用してもこれらが邪魔にならない。請求項１０は、掛紐には鏡拭きが掛けられており、この鏡拭きの形状は窓部と同形又は窓部よりも小さい相似形に形成されている。したがって、窓部から覗いている鏡面を窓部の形状に沿って隅々まで掃除することができる。
【発明を実施するための最良の形態】
【００１４】
次に本発明の実施をするための最良の形態について説明する。鏡面部１はガラス製の鏡本体２をプラスチック製の裏板３に接着して構成されている。裏板３は周囲に枠４、４，５，５が設けられており、鏡本体２はこれらの枠４、４，５，５に内接している。側部の枠４，４は端部の枠５，５よりも高く形成されており、蓋６を閉じたときに蓋６の両側部が側部の枠４，４に内接する。鏡本体２はガラスでなくても差し支えなく、裏板３はプラスチックでなくても例えば木材であっても差し支えない。
【００１５】
側部の枠４，４の基端から軸受け部７，７が一体に延びており、蓋の基部８は軸受け部７，７の間に内接するように取り付けられ、軸９によって蓋の基部８と軸受け部７，７は結合されている。軸９は蓋の基部８に対して固定され軸受け部７，７の軸孔に対して回動可能であると共に、軸９は軸孔に圧接するように挿入されている。これにより、蓋６は鏡面部１に対して回動可能であって、蓋６を回動することにより蓋６を開閉することができる。また、回動の途中で蓋６を止めて半開きの状態で使用することもできる。蓋６は鏡面部１に対して３１０°ほど回動可能であり、したがって蓋６を一杯に開くと蓋６と裏板３とは５０°ほどの角度をなすので鏡は三角形状をなし、蓋６を支えとして鏡面部１を斜めに立てて使用することができる。
【００１６】
蓋６のほぼ中央部に窓部１０が設けられており、この窓部１０はいわゆるハート形であって貫通孔に形成されている。窓部１０を設ける場所は蓋６の中央部に限定されるものでなく基部８寄りの場所や右寄りの場所等どこでもよいことは勿論である。ハート形の上下は社会通念上特定されており、外向きの尖鋭端１１がハート形の下部であるとされている。図２に示すようにハート形の尖鋭端１１が蓋の端部１２方向を向くように窓部１０を設けると、ハート形は社会通念上尖鋭端１１が下部であると認識されているから、使用者は自然に蓋の端部１２を下にして鏡を使用するのである。また、鏡の上下をこのようにして使用することは、使用に際しこの鏡の予定している上下と一致している。例えば、蓋６を半開きの状態で使用するときは、図２の状態で蓋６を下から上に回動すればそのままの状態で即座に使用できる。また、蓋６を一杯に開いて立てて使用するときは、図２の状態から蓋６を一杯に開けばそのまま立てて使用することができる。すなわち、蓋に鏡の上下を認識できるような表示が何もないときは、使用者は蓋のどの縁部に指を掛けて開けばよいのか迷うのであるが、本発明では蓋を開くために指をかける蓋の端部１２が即座に判るのである。また、窓部１０を中央部に設け、蓋６を開く際に蓋６に指を掛けるための凹部２１を枠５の中央に設けたときは、貫通孔に形成された窓部１０から鏡面に指先を宛がい、別の指を蓋の端部１２の中央に掛けることによって蓋６を円滑に開くことができる。その際、指先で汚れた鏡面は附属の鏡拭きで拭き取ることができる。
【００１７】
社会通念上その形状の上下が特定されている形状としては前述したハート形のほかに動物の猫の顔の形状や、５つの三角突起が等角に５方向に広がっている星形などがある。猫の顔は頭部に２つの耳が立っているので上下が特定されている。また、星形は三角突起の１つが中央で且つ上方を向いているので上下が特定されている。なお、窓部１０の形状はこのような上下が特定されている形状に限定されるものでなく、上下が特定されない円形や四角形であってもよい。また、窓部１０は蓋６の側部を切り欠いて片方が開放されたものでもよい。
【００１８】
図２に示すように蓋６の基部８付近の側部には孔部１６が設けられ、その孔部１６に掛紐１３が掛けられており、掛紐１３の端部にハート形の鏡拭き１４が取り付けられている。掛紐１３の一部にコイルスプリング１５が使用されており、鏡拭き１４を使用して鏡面を拭くときにコイルスプリング１５が延びるので作業が楽である。鏡拭き１４は窓部１０と同じようにハート形に形成されており、蓋６を閉じた状態で窓部１０を隅々まで拭くことができる。鏡拭き１４の代わりにアクセサリーなどを下げてもよいことは勿論である。鏡を手に持って窓部１０を覗くときに、掛紐１３及び鏡拭き１４は窓部１０に重ならないので、鏡の使用時にこれらが邪魔にならない。また、鏡を置いて使用するときも鏡拭き１４は鏡面部１の側部外方に下がるので邪魔にならない。
【００１９】
前述したハート形の窓部１０に内接する最大円の直径は３６ｍｍであるが、好ましくは２２ｍｍ以上あればよい。鏡面部１の縦の長さは１５５ｍｍで横の長さは１２６ｍｍであるが、好ましくはこの縦横の比率で５０００平方ｍｍ以上あればよい。また、窓部１０の面積は約２５９０平方ｍｍであり、窓部１０に内接する最大円の直径は３６ｍｍであるが、好ましくは最大円の面積は鏡面部１の面積の３０％以下であり、窓部１０に内接しうる最大円の直径が２２ｍｍ以上であればよい。ただし、本発明はこれらの数値に限定されないことは勿論である。
【実施例１】
【００２０】
図３及び図４は他の実施例である。すなわち、窓部１０を第二の蓋であるスライド蓋で開閉可能とした構成である。図３に示すように蓋６には円形の窓部１０が設けられており、図４に示すように蓋６の内部にはスライド蓋１７の上下動を可能にする隙間１８が設けられており、スライド蓋１７が窓部１０を完全に閉じる位置から、窓部１０を完全に開く位置まで摺動することができる。窓部１０の上端から上方にこの窓部１０と連通する溝１９が設けられており、スライド蓋１７の上端に形成されたノブ２０がその溝１９を介して蓋６の表面に突出している。したがって、ノブ２０を溝１９内で上下に移動させることによりスライド蓋１７を摺動させることができる。
【００２１】
本発明は前述した構成に限定されるものでなく、窓部１０は貫通孔でなく窓部１０にガラスなどの透明板を嵌め込んで固着してもよい。このように構成したときは鏡面の汚れを防止できる。また、鏡面の覆い部は蓋に限定されるものでなく、使用の際に鏡本体を挿入し出し入れ可能に収納できる薄い鏡容器であってもよい。その鏡容器は硬質の材料で形成されてもよく柔軟な材料で袋状に形成されてもよい。さらに、覆い部で鏡面を覆ったときに鏡面の一部を覗くことができるための手段は窓部に限定されるものでなく、覆い部の一部が開いて鏡面の一部を覗くことができるいかなる手段であっても差し支えない。
【図面の簡単な説明】
【００２２】
【図１】蓋を半開きにした状態の斜視図
【図２】本発明の正面図
【図３】実施例の正面図
【図４】実施例の蓋の断面図
【符号の説明】
【００２３】
１  鏡面部
２  鏡本体
３  裏板
４  枠
５  枠
６  蓋
７  軸受け部
８  基部
９  軸
１０  窓部
１１  尖鋭端
１２  蓋の端部
１３  掛紐
１４  鏡拭き
１５  コイルスプリング
１６  孔部
１７  スライド蓋
１８  隙間
１９  溝
２０  ノブ
２１  凹部
【図１】
2005296160.tif 000003
【図２】
2005296160.tif 000004
【図３】
2005296160.tif 000005
【図４】
2005296160.tif 000006